(57)【特許請求の範囲】
【請求項１】
地山等の斜面上に平面略格子状の補強枠を構築し、地山等に打設、造成した所定の支持体によって、この補強枠を地山等に対して固定的に連結、支持する斜面安定工法において、
離間並置された複数本の可撓性線材回りを可撓性被覆材で被覆してなる折曲配置の自在な略中空の型枠を、地山等の斜面上で平面略格子状に配置し、この型枠内にグラウト材を充填することによって、略格子状の補強枠を、地山等の斜面上に構築するとともに、
予め推測した斜面の推測崩壊層を越える打設長のもとで地山等に打設された主支持体を少なくとも含む、補強枠の縦横の交点に配された複数の支持体によって、この補強枠を地山等に対して固定的に連結、支持したことを特徴とする斜面安定工法。
【請求項２】
地山等の斜面上で縦横方向に配置される複数本の可撓性線材と；
複数本の可撓性線材を保持することにより、その離間並置をはかる型枠形成体と；
離間並置された複数本の可撓性線材回りを被覆する可撓性被覆材と；
を少なくとも備えた折曲配置の自在な略中空の型枠内に、グラウト材を充填してなる補強枠。
【発明の詳細な説明】
【０００１】
【発明の属する技術分野】
この発明は、地山等の斜面上で平面略格子状に構築した補強枠を地山等に対して固定的に連結、支持することにより、この地山等の斜面を補強し、その安定化をはかる斜面安定工法およびその補強枠に関する。
【０００２】
【従来の技術】
地山に形成された自然形態の斜面や、切土、あるいは盛土等によって形成された斜面（法面）の補強、および安定化をはかる、いわゆる斜面安定工法として、たとえば、斜面崩壊の危惧される層を推測してこの推測された層（推測崩壊層）を予め切削すること、あるいはその切削後に盛土を行うこと等によって、崩壊の生じ難い適正勾配にその斜面（法面）を造成する抑制工、または、推測崩壊層を切削した後、法枠等と称される補強枠をその斜面上で略格子状に固定的に構築することによりその斜面を強制的に補強する抑止工等が、一般的に知られている。
【０００３】
【発明が解決しようとする課題】
しかし、地山等の斜面に対する上述の抑制工、および抑止工は、いずれも、斜面、ひいては地山等を、斜面崩壊の生じない、いわゆる安定層まで切削することにより、その斜面の崩壊を抑制、抑止する工法であるため、地山等の斜面に対する大掛りな切削作業が要求される。そして、この斜面の切削により発生した土（切削土）の廃棄も容易でなく、また、その切削作業、および廃棄に掛かる費用も多大となりやすいことから、この種の公知の抑制工、および抑止工においてはその作業性の低下、およびその施工コストの増大化等が避けられない。
【０００４】
また、公知の斜面安定工法は、切削や盛土等による整地後の斜面をその施工対象としている。そして、地山等の斜面を安定層まで切削することにより、その斜面に自然に生育する、樹木等の植物等は必然的に伐採、排除されることから、公知の斜面安定工法においては、斜面の崩壊が抑制、抑止できる反面、その地山等の自然環境、および自然景観の破壊等を伴うことは否定できない。
【０００５】
なお、補強枠で斜面を補強する抑止工等においては、その補強の後、土壌の露出部分に外来種の植物等を人工的に植え付ける緑化工法も知られている。しかし、この種の緑化は人工的なものにすぎないため、地山等の全体で考えれば、その自然環境、あるいは自然景観等に違和感を与える虞れも多分に考えられる。
【０００６】
ところで、鉄筋、および金網等の組み合わせによりなる型枠を斜面上で平面略格子状に配置し、この型枠にモルタル、あるいはコンクリート等を吹き付けることで略格子状の補強枠を固定的に構築する、いわゆる現場吹き付け法面工が、補強枠により斜面を補強する抑止工の一つとして広く知られている。
【０００７】
一般に、この現場吹き付け法面工におけるモルタル、あるいはコンクリート等の吹き付け作業は、吹付機を担いだ作業者により行われる。しかし、斜面上での作業は困難であり、しかも、吹付機を担いでの作業となるため、作業者に多大な労力を強いることは避けられず、その作業性の低下も同時に伴われる。
【０００８】
また、変形可能な鉄筋、および金網等により型枠を形成するとはいえ、これらの変形は比較的緩やかな凹凸に対応可能な程度であるため、現場吹き付け法面工等に用いられる公知の補強枠が、小さな凹凸や急激な凹凸等に対する適応性に劣ることは避けられない。つまり、公知の補強枠の構築対象は、切土、盛土等によりなる整地された法面に限定されやすく、その汎用性に劣ることは避けられない。
【０００９】
この発明は、斜面の切削、および植物の伐採等を伴うことなく施工可能な斜面安定工法、および、この斜面安定工法の遂行を適切に可能とし、かつ斜面に対する適応性、および汎用性に優れたその補強枠の提供を目的としている。
【００１０】
【課題を解決するための手段】
この目的を達成するために、この発明の斜面安定工法によれば、離間並置された複数本の可撓性線材回りを可撓性被覆材で被覆してなる折曲配置の自在な略中空の型枠を、地山等の斜面上で平面略格子状に配置し、この型枠内にグラウト材を充填することによって、略格子状の補強枠を、地山等の斜面上に構築する。そして、予め推測した斜面の推測崩壊層を越える打設長のもとで地山等に打設された主支持体を少なくとも含む、補強枠の縦横の交点に配された複数の支持体によって、この補強枠を地山等に対して固定的に連結、支持するものとして、この斜面安定工法は行われる。
【００１１】
また、この発明の補強枠は、地山等の斜面上で縦横方向に配置される複数本の可撓性線材と、複数本の可撓性線材を保持することによってその離間並置をはかる型枠形成体と、離間並置された複数本の可撓性線材回りを被覆する可撓性被覆材とを少なくとも備えた折曲配置の自在な略中空の型枠内に、グラウト材を充填することにより構築されている。
【００１２】
【発明の実施の形態】
以下、図面を参照しながらこの発明の実施の形態について詳細に説明する。
【００１３】
この発明に係る斜面安定工法は、図１、図２に示すように、補強枠10を、地山等12の斜面14上で平面略格子状に構築し、地山等に打設、造成した支持体16(16-1,16-2)によりこの補強枠を固定的に連結、支持することによってその斜面の補強、および安定化をはかるものである。
【００１４】
そして、図３に示すように、型枠形成体18により離間並置された複数本の可撓性線材20の回りを可撓性被覆材22で被覆してなる折曲配置の自在な略中空の型枠24内にグラウト材26を充填することにより、この発明に係る補強枠10は構築されている。
【００１５】
以下、この補強枠10を利用したこの発明に係る斜面安定工法を、その工程に沿って概略説明する。なお、図１、図２を見るとわかるように、ここでは、樹木28等の植物の自然生育する自然形態の地山の斜面14を、その施工対象として、以下例示する。
【００１６】
この斜面安定工法においては、まず、地山等12の、崩壊の危惧される層の深さを予め推測するとともに、略格子状となる補強枠10の縦横の交点位置を、その斜面14上に仮定する。そして、この仮定した交点位置で補強枠10を地山等12に対して固定的に連結、支持する支持体16(16-1,16-2)を、地山等に予め打設しておく。
【００１７】
ここで、図１を見るとわかるように、この発明においては、支持体16(16-1,16-2)のうち、支持体16-1を、予め推測した崩壊層（推測崩壊層）30を越える打設長で地山等12に打設された主支持体としている。そして、図１に加えて図２を見るとわかるように、この主支持体16-1は、補強枠10の縦横の交点で、その打設長、つまり推測崩壊層30に対する貫通の有無を問わない補助支持体16-2との交互位置に配設されている。
【００１８】
図１に示すように、この主支持体16-1としては、たとえば、緊張材32の先端側に規定された定着長部をグラウト34で地山等12に固結、定着させることにより造成された、いわゆるグラウンドアンカー等のアンカー体が例示できるが、このアンカー体自体は公知であり、その構成、およびその造成方法等はこの発明の趣旨でないため、これらに対するここでの詳細な説明は省略する。
【００１９】
また、補助支持体16-2としては、いわゆるアンカーピンやロックボルト等の、公知の棒状支持体が例示できる。
【００２０】
補強枠10の縦横の交点を予め仮定し、この仮定点に支持体16(16-1,16-2)を先行打設したこの実施の形態での手順においては、この支持体の位置に交点を配するように、補強枠10が配置、構築される。そして、図３を見るとわかるように、この斜面安定工法においては、まず、型枠形成体18により離間並置された複数本の可撓性線材、たとえば４本の可撓性線材20を一組として、この可撓性線材は斜面14の縦方向、横方向にそれぞれ交差配置される。
【００２１】
可撓性線材20として、折曲自在な線材、たとえばPC鋼より線が利用できる。そして、たとえば、スパイラル鉄筋としてなる型枠形成体18をこの４本のPC鋼より線（可撓性線材）20の回りに配し、この型枠形成体にPC鋼より線を結束等のもとで連結、保持することにより、４本のPC鋼より線の離間配置された断面略円形状の型枠24の骨格が形成される。
【００２２】
次に、このPC鋼より線20、およびスパイラル鉄筋（型枠形成体）18の回りを可撓性被覆材22で被覆することにより、断面略円形状で略中空の型枠24が形成される。
【００２３】
可撓性被覆材22としては、たとえば、伸縮、および折曲の可能な蛇腹状の樹脂製管体が利用できる。
【００２４】
そして、樹脂製管体（可撓性被覆材）22で覆われたこの型枠24内にグラウト材26、たとえばセメントミルク等を、たとえば圧送装置等により充填し、これをこの型枠内で固結させるとともに、各交点に配された支持体16、つまり主支持体16-1、および補助支持体16-2に対し、これをアンカーヘッド等の連結具（図示しない）で、たとえば固定的に連結することによって、平面略格子状の補強枠10は、斜面14上で、地山等12に対して固定的に形成、構築される（図１ないし図３参照）。
【００２５】
なお、ここでの詳細な説明は省略するが、補強枠10の縦横の交点に、たとえば、専用の交点型枠を配設し、この交点型枠に連続させて、型枠24を形成することが好ましい。
【００２６】
上記のように、この発明の斜面安定工法においては、折曲自在な可撓性線材である複数本（４本）のPC鋼より線20を、折曲自在な蛇腹状の樹脂製管体22で被覆することによって、折曲配置の自在な補強枠の型枠24が形成されている。つまり、この補強枠の型枠24によれば、PC鋼より線20、および樹脂製管体22の自在な折曲のもとで、斜面14の凹凸、つまり不陸形状に沿った型枠の配置、形成、ひいては補強枠10の構築が容易に可能となるため、補強枠の形成、構築対象が、ほぼ平坦に整地された法面に限定されず、たとえば、地山等12の自然形態の不陸斜面をも、その形成、構築の対象とすることが十分に可能となる（図１参照）。
【００２７】
そして、支持体16(16-1,16-2)のうちの主支持体16-1が、予め推測した推測崩壊層30を越える打設長で地山等12に打設されているため、斜面14の崩壊力（すべり力）に抗した補強枠10の保持は、推測崩壊層を切削しなくとも十分に確保可能となる。
【００２８】
つまり、図１、図２に示すように、この発明によれば、樹木28等の植物の自然生育した地山等12の自然形態の斜面14を、推測崩壊層30の切削を伴うことなく補強することができるため、その地山等の自然環境、あるいは自然景観の確保が十分にはかられる。
【００２９】
そして、外来種の植物等を人工的に植え付ける公知の緑化工法と異なり、自然生育した樹木28等の植物を伐採せずに残すことが可能であるため、地山等12の全体的な自然環境、および自然景観に違和感等を与えることもない。
【００３０】
更に、この補強枠10は、斜面14の凹凸（不陸）に沿った方向での折曲変形に限らず、その平面方向での折曲変形も容易、自在に行える。つまり、図２に示す、補強枠10のa1〜a4部分のように、斜面14に自然生育する樹木28、あるいは部分的に埋設された岩36等を避けての補強枠の配置、あるいはその他必要に応じた蛇行配置が容易に可能となるとともに、b1部分のように、変則的な位置に設けた支持体16(16-1,16-2)に合わせて、その交点位置を設定することが可能となるため、樹木等の伐採、あるいは岩等の取り除き等を要することなく、平面略格子状の補強枠を斜面上に形成、構築することができる。従って、この点からも斜面14の自然環境、あるいは自然景観の確保が十分にはかられる。
【００３１】
また、地山等12を大きく切削しないため、地山等の斜面14に対する大掛りな切削作業は不要となり、更には、この斜面の切削により発生した土（切削土）の廃棄も不要となることから、その作業性の向上、およびその施工コストの低減等が確実にはかられる。そして、上述したように、斜面14に存在する樹木28の伐採、および岩36の取り除き等も不要であるため、この点からも、作業性が向上される。
【００３２】
また、この補強枠10によれば、樹脂製管体22によって覆われた型枠24内に、セメントミルク等のグラウト材26を、圧送装置等により充填すれば足りるため、その作業の容易化が確実にはかられる。そして、作業者が装置等を担いだ状態で斜面14上を移動する必要もないため、作業者に過度の負担を強いることもなく、その作業性、および作業の安全性が確実に向上される。
【００３３】
ここで、この発明の実施の形態においては、PC鋼より線20を補強枠10の可撓性線材として具体化しているが、折曲自在な線材であれば足りるため、これに限定されず、たとえばロープ、チェーン等を可撓性線材として利用してもよい。また、この可撓性線材20の数を４本とし、それによりなる断面形状を略円形状として具体化しているが、中空状の型枠24を形成可能であれば足りるため、たとえば他の本数の可撓性線材から四角形や他の多角形状等に、型枠、ひいては補強枠10の断面形状を形成してもよい。
【００３４】
なお、この可撓性線材20の本数は、補強枠10に要求される強度等により、適宜選択すれば良い。
【００３５】
また、この発明の実施の形態においては、支持体の主支持体16-1、補助支持体16-2を交互に配置している。しかし、斜面14、ひいては地山等12に対する補強枠10の十分な支持強度を主支持体16-1によって確保すれば足りるため、これに限定されず、たとえば、二つおき、三つおき等に、主支持体を配置する構成としてもよい。
【００３６】
更に、この発明においては、補強枠10の平面形状を略格子状としているが、ここでいうその形状はあくまでも概略のものであり、縦方向、横方向に配設された可撓性線材（PC鋼より線）20を主体とした平面形状を有すれば足りるため、その平面形状に多少の変形の加えられたものも、ここでいう略格子状に包含されるものとする。
【００３７】
そして、この実施の形態においては、蛇腹状の樹脂製管体22を、補強枠10の可撓性被覆材として具体化しているが、折曲自在な可撓性素材であれば足りるため、これに限定されず、たとえば、伸縮性、およびグラウト材26の漏出性をほとんど持たない、ナイロン糸等からなる織布等を、この可撓性被覆材として利用してもよい。
【００３８】
ここで、この発明の実施の形態においては、スパイラル状鉄筋を型枠形成体18として具体化しているが、離間並置されたPC鋼より線20をその離間位置で保持可能とすれば足りるため、これに限定されず、たとえば複数のリング体の組み合わせ等を、この型枠形成体として利用してもよい。
【００３９】
また、この実施の形態においては、型枠形成体（スパイラル鉄筋）18をPC鋼より線20の回りに配しているが、これに限定されず、たとえば、複数のPC鋼より線の内方位置に、この型枠形成体を配置してもよい。
【００４０】
上述した実施の形態は、この発明を説明するためのものであり、この発明を何等限定するものでなく、この発明の技術範囲内で変形、改造等の施されたものも全てこの発明に包含されることはいうまでもない。
【００４１】
【発明の効果】
上記のように、折曲自在な可撓性線材、および可撓性被覆材を主体とした折曲配置の自在な型枠からなる補強枠を、地山等の斜面上に形成、構築するこの発明に係る斜面安定工法によれば、樹木等の植物の自然生育した地山等の自然形態の斜面を、推測崩壊層の切削を伴うことなく補強することができるため、その地山等の自然環境、あるいは自然景観の確保が十分にはかられる。
【００４２】
そして、自然生育した樹木等の植物を伐採せずにその斜面に残すことが可能であるため、地山等の全体的な自然環境、および自然景観に違和感等を与えることもない。
【００４３】
更に、この補強枠は、斜面に自然生育する樹木、あるいは部分的に埋設された岩等を避けての補強枠の配置が容易に可能となるため、この点からも、自然環境、あるいは自然景観の確保が十分にはかられる。
【００４４】
また、地山等を大きく切削しないため、地山等の斜面に対する大掛りな切削作業は不要となり、更には、この斜面の切削により発生した土（切削土）の廃棄も不要となることから、その作業性の向上、およびその施工コストの低減等が確実にはかられる。
【００４５】
そして、この補強枠によれば、可撓性被覆材によって覆われた折曲配置の自在な型枠内にグラウト材を充填すれば足りるため、その作業の容易化が確実にはかられる。そして、作業者が装置等を担いだ状態で斜面上を移動する必要もないため、作業者に過度の負担を強いることもなく、その作業性、および作業の安全性が確実に向上される。
【図面の簡単な説明】
【図１】この発明に係る斜面安定工法を示す、斜面の概略縦断面図である。
【図２】この発明の斜面安定工法を示す、斜面の概略平面図である。
【図３】この発明に係る補強枠の概略斜視図である。
【符号の説明】
10  補強枠
14  斜面
16(16-1,16-2) 支持体（主支持体、補助支持体）
18  型枠形成体
20  可撓性線材（PC鋼より線）
22  可撓性被覆材（樹脂製管体）
24  型枠
26  グラウト材
30  推測崩壊層
【図１】
0003662500.tif 000002
【図２】
0003662500.tif 000003
【図３】
0003662500.tif 000004